(57)【要約】【課題】バーベルの高さをスムーズに変えることができるベンチプレス台を提供すること。【解決手段】ベンチプレス台１は、バーベル１００のバー１１０が載置されるバーベルラック２０を備え、バーベルラック２０は、床面から立設し、上下方向に延びる穴２１１が形成された固定部２１と、固定部２１の穴２１１の中に、穴２１１の内壁に接触しないように下端側が挿入され、上端側にバーベル１００のバー１１０が載置されるスライド部２２と、を備え、スライド部２２は、上下方向に延びるレール部２２３を有し、固定部２１は、穴２１１の内部に配置され、スライド部２２のレール部２２３を回転体で挟持しスライド自在に支持するレール支持部２１３を有する。【選択図】図３
0003193609.tif 000002
【実用新案登録請求の範囲】
【請求項１】
棒状体で形成されたバーの両端近傍に錘が取り付けられたバーベルが載置されるベンチプレス台であって、
前記バーベルの前記バーが載置されるバーベル支持部を備え、
前記バーベル支持部は、
床面から立設し、上下方向に延びる穴が形成された固定部と、
前記固定部の前記穴の中に、前記穴の内壁に接触しないように下端側が挿入され、上端側に前記バーベルの前記バーが載置されるスライド部と、を備え、
前記スライド部は、上下方向に延びるレール部を有し、
前記固定部は、前記穴の内部に配置され、前記スライド部のレール部を回転体で挟持しスライド自在に支持するレール支持部を有するベンチプレス台。
【請求項２】
前記スライド部は、その上端において、前記バーベルの前記バーが載置される載置部を有し、
前記載置部は、底部と、底部の端部から上方に延びる側部と、を有し、
前記底部は、水平面に対して所定角度傾斜している請求項１に記載のベンチプレス台。
【請求項３】
前記スライド部を上下に移動させる操作部を更に備え、
使用者の操作により回動するハンドルと、
前記ハンドルの回動に伴い、段階的に回転する巻き取り部と、
前記巻き取り部に一端が接続され、前記巻き取り部に巻き取られる伝達部材と、を備え、
前記巻き取り部より下方において、前記伝達部材の他端に前記スライド部が接続され、
前記ハンドルは、前記バーベル支持部に載置された前記バーベルと接触しない位置において回動可能である請求項１又は２に記載のベンチプレス台。
【考案の詳細な説明】
【技術分野】
【０００１】
本考案は、ベンチプレス台に関し、特に、棒状体で形成されたバーの両端近傍に錘が取り付けられたバーベルが載置されるベンチプレス台に関する。
【背景技術】
【０００２】
従来、ベンチプレスは、バーベルを使用して行われるが、この場合、ベンチプレス台のベンチ台上に使用者が仰向けになった状態で横たわり、所望の重さのバーベルを両手で持ち、胸から上の位置で上げ下げする。
【０００３】
このようなベンチプレス台として、バーベルのバーを係止させるフォーク状受支部材が設けられた左右１対の支柱枠と、左右１対の支柱枠の間に設けられた腹筋台と、を備えるベンチプレス台が提案されている。
この特許文献１のベンチプレス台によれば、使用者は、腹筋台に仰向けで横たわり、フォーク状受支部材に係止されたバーベルのバーを両手で握り、持ち上げる。
【先行技術文献】
【特許文献】
【０００４】
【特許文献１】実開平５−５１５４号公報
【考案の概要】
【考案が解決しようとする課題】
【０００５】
ところで、ベンチプレスでは、使用者の体格に応じてバーベルの高さを調整したい場合がある。
しかしながら、特許文献１のベンチプレス台では、フォーク状受支部材の高さを変えることができないので、バーベルの高さを調整することができない。
【０００６】
本考案は、バーベルの高さをスムーズに変えることができるベンチプレス台を提供することを目的とする。
【課題を解決するための手段】
【０００７】
（１）  棒状体で形成されたバーの両端近傍に錘が取り付けられたバーベルが載置されるベンチプレス台であって、
前記バーベルの前記バーが載置されるバーベル支持部を備え、
前記バーベル支持部は、
床面から立設し、上下方向に延びる穴が形成された固定部と、
前記固定部の前記穴の中に、前記穴の内壁に接触しないように下端側が挿入され、上端側に前記バーベルの前記バーが載置されるスライド部と、を備え、
前記スライド部は、上下方向に延びるレール部を有し、
前記固定部は、前記穴の内部に配置され、前記スライド部のレール部を回転体で挟持しスライド自在に支持するレール支持部を有するベンチプレス台。
【０００８】
（１）の構成によれば、ベンチプレス台は、棒状体で形成されたバーの両端近傍に錘が取り付けられたバーベルが載置され、バーベルのバーが載置されるバーベル支持部を備える。
バーベル支持部は、固定部と、スライド部と、を備える。
固定部は、床面から立設し、上下方向に延びる穴が形成されている。
スライド部は、固定部の穴の中に、穴の内壁に接触しないように下端側が挿入され、上端側にバーベルのバーが載置される。
スライド部は、上下方向に延びるレール部を有する。
そして、固定部は、穴の内部に配置され、スライド部のレール部を回転体で挟持しスライド自在に支持するレール支持部を有する。
【０００９】
これにより、使用者は、スライド部を上下方向にスライドすることで、スライド部に載置されたバーベルの高さを変えることができる。
この時、スライド部は、固定部の穴の中に、穴の内壁に接触せず、固定部のレール支持部の回転体で挟持されたレール部がスライドするので、スムーズにスライドする。
したがって、バーベルの高さをスムーズに変えることができるベンチプレス台を提供できる。
【００１０】
また、スライド部の外表面には、高さを表示する目盛りが付されている場合がある。この場合において、スライド部の外表面が固定部の穴の内壁と接触していると、スライド時に、目盛りが固定部の穴の内壁と擦れて、消えてしまう場合がある。
本発明によれば、スライド部は、固定部の穴の内壁に接触せず、固定部のレール支持部の回転体で挟持されたレール部がスライドするので、その外表面に目盛りを付した場合でも、この目盛りが擦れて消えてしまうのを防止できる。
【００１１】
（２）  前記スライド部は、その上端において、前記バーベルの前記バーが載置される載置部を有し、
前記載置部は、底部と、底部の端部から上方に延びる側部と、を有し、
前記底部は、水平面に対して所定角度傾斜している（１）に記載のベンチプレス台。
【００１２】
（２）の構成によれば、スライド部のバーベルのバーが載置される載置部の底部は、水平面に対して所定角度傾斜している。
これにより、スライド部の載置部に載置されたバーベルのバーは、傾斜した底部を転がり、側部に当接する。
よって、スライド部の載置部に載置されたバーベルのバーは、載置部の底部と側部との２点に当接した状態となるので、安定する。
【００１３】
（３）  前記スライド部を上下に移動させる操作部を更に備え、
使用者の操作により回動するハンドルと、
前記ハンドルの回動に伴い、段階的に回転する巻き取り部と、
前記巻き取り部に一端が接続され、前記巻き取り部に巻き取られる伝達部材と、を備え、
前記巻き取り部より下方において、前記伝達部材の他端に前記スライド部が接続され、
前記ハンドルは、前記バーベル支持部に載置された前記バーベルと接触しない位置において回動可能である（１）又は（２）に記載のベンチプレス台。
【００１４】
（３）の構成によれば、スライド部を上下に移動させる操作部を更に備える。
操作部は、ハンドルと、巻き取り部と、伝達部材と、を備える。
ハンドルは、使用者の操作により回動する。
巻き取り部は、ハンドルの回動に伴い、段階的に回転する。
伝達部材は、巻き取り部に一端が接続され、巻き取り部に巻き取られ、巻き取り部より下方において、前記伝達部材の他端に前記スライド部が接続されている。
そして、ハンドルは、バーベル支持部に載置されたバーベルと接触しない位置において回動可能である。
【００１５】
これにより、使用者は、例えば、ハンドルを一方に回動させることで、巻き取り部が伝達部材を段階的に巻き取り、巻き取り部の他端に接続されたスライド部を上方に移動させる。また、使用者は、例えば、ハンドルを他方に回動させることで、巻き取り部に巻かれた伝達部材を段階的にほどき、巻き取り部の他端に接続されたスライド部を下方に移動させる。
この時、ハンドルは、バーベル支持部に載置されたバーベルと接触しない位置において回動可能であるので、効率よくスライド部を上下させることができる。
【考案の効果】
【００１６】
本考案によれば、バーベルの高さをスムーズに変えることができるベンチプレス台を提供できる。
【図面の簡単な説明】
【００１７】
【図１】本考案の一実施形態に係るベンチプレス台１の斜視図である。
【図２】前記実施形態に係るベンチプレス台１の側面図である。
【図３】前記実施形態に係るベンチプレス台１のバーベルラック２０、操作部３０及びセーフティラック４０を説明する図である。
【考案を実施するための形態】
【００１８】
本考案の実施形態に係るベンチプレス台１の構成を図面に基づいて説明する。
図１は、本考案の一実施形態に係るベンチプレス台１の斜視図である。
図２は、前記実施形態に係るベンチプレス台１の側面図である。
ベンチプレス台１は、架台１０と、架台１０に固定され上方に立設する左右一対のバーベル支持部としてのバーベルラック２０と、各バーベルラック２０に設けられた操作部３０と、各バーベルラック２０に固定され水平方向に突出する左右一対のセーフティラック４０と、架台１０に固定されたベンチ台５０と、架台１０に固定された補助者用ステップ台６０と、を備える。
【００１９】
架台１０は、床面に設置され、バーベルラック２０、ベンチ台５０及び補助者用ステップ台６０を支持する。
【００２０】
図３は、前記実施形態に係るベンチプレス台１のバーベルラック２０、操作部３０及びセーフティラック４０を説明する図である。
図３中点線は、バーベルラック２０、操作部３０及びセーフティラック４０の内部に配置され、外観として表れない部分を示す。また、一点鎖線は、ベンチプレス台１に載置されるバーベル１００を示す。
バーベルラック２０は、固定部２１と、スライド部２２と、を備える。
【００２１】
固定部２１は、床面に設置された架台１０から立設し、上下方向に延び、上方が開放された穴２１１が形成されている。
穴２１１の縁には、半円形状の欠き込みであり、後述するスライド部２２の挿通孔２２１ａに一部が挿通するピン７０が係止しするピン受け部２１２が形成されている。
また、固定部２１は、穴２１１の内部に配置され、後述するスライド部２２のレール部２２３を回転体で挟持しスライド自在に支持するレール支持部２１３を有する。
レール支持部２１３は、内部に互いに対向するベアリングを有し、これらのベアリングでレール部２２３を挟持する。
【００２２】
スライド部２２は、固定部２１の穴２１１の中に、穴２１１の内壁に接触しないように下端側が挿入されるスライド部本体２２１と、スライド部本体２２１の上端に固定され、バーベル１００のバー１１０が載置され載置部２２２と、固定部２１のレール支持部２１３にスライド自在に支持されるレール部２２３と、を備える。
【００２３】
スライド部本体２２１は、略直方体形状に形成され、上下方向に所定間隔で形成された複数の挿通孔２２１ａが形成されている。複数の挿通孔２２１ａは、互いに異なる高さで２列形成されている。
また、スライド部２２には、２列の複数の挿通孔２２１ａの間において、バーベル１００が配置される高さの目安となる目盛り２２１ｂが付されている。
【００２４】
載置部２２２は、水平面に対して所定角度（例えば、５度から１０度）傾斜している底部２２２ａと、底部２２２ａの下側の端部から斜め上方に延びる下側側部２２２ｂと、底部２２２ａの上側の端部から斜め上方に延びる上側側部２２２ｃと、を有する。
底部２２２ａには、その上面にクッション材として弾性部材が敷設されている。
下側側部２２２ｂは、底部２２２ａ上において転がったバーベル１００のバー１１０が当接する。
上側側部２２２ｃは、バーベル１００のバー１１０を底部２２２ａに導くガイドとして機能する。
【００２５】
レール部２２３は、スライド部本体２２１の側面に固定され、上下方向に延び、その中間部が固定部２１のレール支持部２１３にスライド自在に支持されている。
【００２６】
操作部３０は、固定部２１の外部に配置されるハンドル３１と、固定部２１の内部に配置される巻き取り部３２、伝達部材３３及び接続部材３４と、を備える。
【００２７】
ハンドル３１は、バーベルラック２０に載置されたバーベル１００と接触しない位置（図３に示すバーベル１００の錘であるバーベルプレート１２０に接触しない位置）において使用者の操作により回動する。具体的には、バーベルプレート１２０の最大直径は４５０ｍｍであるので、ハンドル３１は、載置部２２２に載置されたバーベル１００のバーベルプレート１２０の中心から２２５ｍｍより離れた位置において回動可能に配置されている。
【００２８】
巻き取り部３２は、ハンドル３１の回動に伴い、段階的に回転する。詳細には、巻き取り部３２は、巻き戻りを防止するロックが設けられ、所定量だけ回動するとこのロックにより巻き戻らなくなる。また、このロックは、右回転又は左回転に切替可能に構成されている。
【００２９】
伝達部材３３は、例えば、チェーンで構成され、巻き取り部３２に一端が接続され、巻き取り部３２に巻き取られ、巻き取り部３２より下方において、他端が接続部材３４に接続されている。
【００３０】
接続部材３４は、例えば、ボルトで構成され、一端が伝達部材３３に接続され、水平方向に延びて、他端がスライド部２２に接続されている。
【００３１】
セーフティラック４０は、ベンチ台５０に横たわった使用者がバーベル１００を持ち上げる位置に配置され、腕部４１と、筒部４２と、軸部４３と、バーベル受け部４４と、ストッパ４５と、を備える。
腕部４１は、一端が固定部２１に固定され、ベンチ台５０が配置された方向であって、水平方向に延びている。
【００３２】
筒部４２は、腕部４１の他端に固定され、上下方向に延び、内部が空洞に形成され、この内部に、後述する軸部４３のレール部４３２を回転体で挟持しスライド自在に支持するレール支持部４２１を有する。
レール支持部４２１は、内部に互いに対向するベアリングを有し、これらのベアリングでレール部４３２を挟持する。
また、筒部４２には、後述する軸部４３の目盛り４３１ａを表示する目盛り孔４２ａが形成されている。
【００３３】
軸部４３は、筒部４２の内部に、筒部４２の内壁に接触しないように下端側が挿入される軸部本体４３１と、筒部４２のレール支持部４２１にスライド自在に支持されるレール部４３２と、を備える。
【００３４】
軸部本体４３１には、バーベル受け部４４の高さの目安となる目盛り４３１ａが付されている。この目盛り４３１ａは、上下方向に所定間隔で示された数値であり、この数値は、筒部４２の目盛り孔４２ａから視認可能である。
また、軸部本体４３１には、上下方向に所定間隔で形成された複数の挿通孔（図示無し）が形成されている。この挿通孔には、後述するストッパ４５の押しバネ付き差しピン４５２が挿通される。これにより、バーベル受け部４４が所定の高さに保持される。
【００３５】
レール部４３２は、軸部本体４３１の側面に固定され、上下方向に延び、その中間部が筒部４２のレール支持部４２１にスライド自在に支持されている。
【００３６】
バーベル受け部４４は、水平面を有する底部４４１と、底部４４１の一端から上方に延びる側部４４２と、を有する。
底部４４１は、他端が固定部２１近傍まで（他端と固定部２１の表面までの寸法がバーベル１００のバー１１０の直径より小さい寸法まで）延び、その上面にクッション材として弾性部材が敷設されている。
側部４４２は、底部４４１上において転がったバーベル１００のバー１１０が当接する。
これにより、仮に、使用者がバーベル１００を持ち上げている時に、バーベル１００を落としたとしても、バーベル１００のバー１１０をバーベル受け部４４で受けることができ、バー１１０が使用者に当り怪我をさせるのを防止できる。
【００３７】
ストッパ４５は、筒部４２の外表面に固定され、水平方向に延びる孔を有するストッパ本体４５１と、ストッパ本体４５１及び筒部４２を貫通し、軸部本体４３１の挿通孔に挿通する押しバネ付き差しピン４５２と、を備える。
押しバネ付き差しピン４５２は、ストッパ本体４５１の内部に配置された弾性部材（例えば、バネ）を有し、この弾性部材により、軸部本体４３１の挿通孔に挿通する方向に付勢されている。
これにより、使用者は、押しバネ付き差しピン４５２を把持し、軸部本体４３１の挿通孔から引き抜くことで、バーベル受け部４４の高さを変えることが可能となり、押しバネ付き差しピン４５２を離すことで、押しバネ付き差しピン４５２が軸部本体４３１の挿通孔に挿通し、バーベル受け部４４を所定の高さで保持できる。
【００３８】
図１に戻って、ベンチ台５０は、左右一対のバーベルラック２０の間から後方に延び、使用者が仰向けに横たわる。使用者は、ベンチ台５０に仰向けに横たわり、バーベルラック２０に載置されたバーベル１００（図３参照）を持ち上げる。
補助者用ステップ台６０は、左右一対のバーベルラック２０の間において、ベンチ台５０を挟んで左右一対で設けられている。
【００３９】
次に、ベンチプレス台１の使用方法について説明する。
まず、使用者は、スライド部２２の挿通孔２２１ａからピン７０を引き抜く。そして、操作部３０を操作して、スライド部２２の載置部２２２に載置されたバーベル１００の高さを調整する。
具体的には、使用者は、バーベル１００の高さを上げる場合には、ハンドル３１を一方に回動させることで、巻き取り部３２が伝達部材３３を段階的に巻き取り、巻き取り部３２の他端に接続された接続部材３４を介してスライド部２２を上方に移動させる。また、使用者は、バーベル１００の高さを下げる場合には、ハンドル３１を他方に回動させることで、巻き取り部３２に巻かれた伝達部材３３を段階的にほどき、巻き取り部３２の他端に接続された接続部材３４を介してスライド部２２を下方に移動させる。
そして、使用者は、バーベル１００のバー１１０の高さを所望の高さに調整した後に、万が一の落下を防止するためにスライド部２２の挿通孔２２１ａにピン７０を差し込む。
【００４０】
また、使用者は、セーフティラック４０の押しバネ付き差しピン４５２を軸部本体４３１の挿通孔から引き抜き、バーベル受け部４４の高さを調整し、所望の高さに調整した後に、軸部本体４３１の挿通孔に押しバネ付き差しピン４５２を差し込む。
【００４１】
その後、使用者は、ベンチ台５０の上に仰向けで横たわり、バーベル１００のバー１１０を両手で握り持ち上げる。
【００４２】
本実施形態のベンチプレス台１によれば、以下の作用効果を奏する。
使用者は、スライド部２２やバーベル受け部４４を上下方向にスライドすることで、スライド部２２に載置されたバーベル１００やバーベル受け部４４の高さを変えることができる。
この時、スライド部２２は、固定部２１の穴２１１の中に、穴２１１の内壁に接触せず、固定部２１のレール支持部２１３の回転体で挟持されたレール部２２３がスライドするので、スムーズにスライドする。
また、バーベル受け部４４を支持する軸部４３は、筒部４２の内部に、筒部４２の内壁に接触せず、筒部４２のレール支持部４２１の回転体で挟持されたレール部４３２がスライドするので、スムーズにスライドする。
したがって、バーベルの高さをスムーズに変えることができるベンチプレス台を提供できる。
【００４３】
また、スライド部２２の載置部２２２に載置されたバーベル１００のバー１１０は、傾斜した底部２２２ａを転がり、下側側部２２２ｂに当接する。
よって、スライド部２２の載置部２２２に載置されたバーベル１００のバー１１０は、載置部２２２の底部２２２ａと下側側部２２２ｂとの２点に当接した状態となるので、安定する。
【００４４】
また、ハンドル３１は、バーベルラック２０に載置されたバーベル１００と接触しない位置において回動可能であるので、効率よくスライド部２２を上下させることができる。
【００４５】
なお、本考案は前記実施形態に限定されるものではなく、本考案の目的を達成できる範囲での変形、改良等は本考案に含まれるものである。
【符号の説明】
【００４６】
１      ベンチプレス台
１０    架台
２０    バーベルラック
２１    固定部
２１１  穴
２１２  ピン受け部
２１３  レール支持部
２２    スライド部
２２１  スライド部本体
２２１ａ  挿通孔
２２１ｂ  目盛り
２２２  載置部
２２２ａ  底部
２２２ｂ  下側側部
２２２ｃ  上側側部
２２３  レール部
３０    操作部
３１    ハンドル
３２    取り部
３３    伝達部材
３４    接続部材
３４    続部材
４０    セーフティラック
４１    腕部
４２    筒部
４２ａ  目盛り孔
４２１  レール支持部
４３    軸部
４３１  軸部本体
４３１ａ  目盛り
４３２  レール部
４４    バーベル受け部
４４１  底部
４４２  側部
４５    ストッパ
４５１  ストッパ本体
４５２  押しバネ付き差しピン
５０    ベンチ台
６０    補助者用ステップ台
７０    ピン
１００  バーベル
１１０  バー
１２０  バーベルプレート
【図１】
0003193609.tif 000003
【図２】
0003193609.tif 000004
【図３】
0003193609.tif 000005